(57)【要約】【課題】  本考案に係るプローブホルダーは損壊したプローブを抜き取るのに用いられるものである。【解決手段】  プローブホルダーは収納器、抜き出しヘッド、押しバーを含み、抜き出しヘッドで抜き取ろうとするプローブに嵌めて、前記押しバーに力を入れて作動さ、前記抜き出しヘッドに連動して収縮させ、損壊したプローブをしっかりと挟んで抜き取る。本考案の構造は損壊したプローブを速やかに且つ正確に嵌めると共に、効果的にプローブを挟んで抜き取り、滑って他のプローブに接触することで、より多くのプローブを損壊させることがないので、ユーザーの作業効率を効果的にに向上させ、プローブのロスが効果的に抑えられるものである。【選択図】    図１
0003128949.tif 000002
【実用新案登録請求の範囲】
【請求項１】
損壊したプローブを抜き取るのに用いられるプローブホルダーであって、前記プローブは
貫通孔を有する収納器と、
複数前記貫通孔の抜き出し板、ヘッド端、前記抜き出し板と前記ヘッド端を接続するネック部を含み、且つ前記ネック部は前記貫通孔と接触する傾斜面を少なくとも有する抜き出しヘッドであって、前記抜き出しヘッドは第一位置と第二位置の間を往復運動し、正常時に前記抜き出しヘッドは前記第一位置に位置すると共に、前記複数抜き出し板同士が開放状に分離され、前記第二位置にあるときに前記ネック部の前記傾斜面は前記貫通孔の圧迫を受け前記複数抜き出し板と連動し互いに接近し閉鎖状となるものと、
前記収納器に装着し前記収納器に対して作動する押しバーであって、前記押しバーは応用力部と当接部を有し、前記当接部は前記抜き出しヘッドを前記第二位置まで押しまたは前記抜き出しヘッドを解除し前記第一位置まで回復させるものを含むことを特徴とするプローブホルダー。
【請求項２】
前記収納器が管状部材でその軸性の一端に開口を有し、他端は前記貫通孔を設置することを特徴とする請求項１に記載のプローブホルダー。
【請求項３】
前記抜き出しヘッドが管状部材で前記複数抜き出し板の間に裂け目を有すると共に前記ネック部はテーパ体でその外径が大きい一端は前記ヘッド端と連接し、前記テーパ体の外径が小さい一端は前記貫通孔を少なくとも通過することを特徴とする請求項２に記載のプローブホルダー。
【請求項４】
前記押しバーの前記当接部外観はオスねじ山を有し前記収納器の内壁はそのとマッチするメスねじ山を有する特徴とする請求項２に記載のプローブホルダー。
【請求項５】
前記当接部は弾性部材であることを特徴とする請求項１に記載のプローブホルダー。
【請求項６】
さらに弾性部材を有し前記弾性部材は前記収納器に置き、前記弾性部材の一端は前記押しバーの前記応用力部に当接し他端が前記収納器の内側壁に当接しその弾性により前記押しバーを推し前記抜き出しヘッドを前記第一位置に置くことを特徴とする請求項１に記載のプローブホルダー。
【考案の詳細な説明】
【技術分野】
【０００１】
本考案はホルダーであって、特に損壊したプローブを抜き取るのに用いられるプローブホルダーのことである。
【背景技術】
【０００２】
プローブの応用範囲は広範囲に渡っており、目下プローブは主に製造完成後の各種部材を検査するのに使用されている。プローブを検査モジュールに取り付けて検査部材が接触すると、続いてプローブが検査結果をリードを経由してコンピューターに伝送し、検査部材の不良箇所の有無を確認する。この電気的検査には高度に精密で正確な検査設備が必要で、プローブの品質もまた検査の精度に重大な影響を及ぼすのである。
【０００３】
従来のプローブモジュールは主にニードル式で、極細なプローブを人の手で組立て、膠着固定させてニードル式プローブモジュールを完成させる。こうしたプローブモジュールは製造時間が短く、少量で多様性があり且つ弾力的に製造できるなどの長所があるが、基本設計に欠点がある。例えば、プローブの間隔を効果的に縮めるために、三次元空間に置く方式で間隔を縮めているが、それでは各層のプローブが受ける力が異なり、損壊も異なり、これではプローブ数もこれ以上伸びず、また至近距離検査での使用には不適格で、更にプローブ交換も困難である。
【０００４】
昨今、プローブの発展は日進月歩で、中華民国特許第３９２０７３、５４８４０９及び５１６６３３号等では、プローブモジュール並びにプローブに改良が加えられ、プローブ検査で損壊した際、セットごと取り外して取り替え、収納器内のプローブは容易くピンセットの様な工具で取り出せる。検査の際はプローブ数が大変多いので、プローブが損壊すると、オペレーターはピンセットなどの工具では力を入れるのに不都合で、プローブを滑らして仕舞い勝ちとなり、プローブ抜き取りが不正確となり、プローブ損壊によるコスト上昇を招くのである。
【考案の開示】
【考案が解決しようとする課題】
【０００５】
本考案の目的はプローブホルダーを提供することであり、上記において、力を入れるのが不便なためにプローブが滑り易くなり、プローブの抜き取りが不正確となってコスト上昇を招くと云った問題を解決する。
【課題を解決するための手段】
【０００６】
上記の目的に基いて、本考案では損壊したプローブ抜き取り用のプローブホルダーを提供する。前記プローブホルダーは貫通孔を有する収納器と、複数前記貫通孔を突き抜ける抜き出し板、ヘッド端、前記抜き出し板と前記ヘッド端を接続するネック部を含み、且つ前記ネック部は前記貫通孔と接触する傾斜面を少なくとも有する抜き出しヘッドであって、前記抜き出しヘッドは第一位置と第二位置の間を往復運動し、正常時に前記抜き出しヘッドは前記第一位置に位置すると共に、前記複数抜き出し板同士が開放状に分離され、前記第二位置にあるときに前記ネック部の前記傾斜面は前記貫通孔の圧迫を受け前記複数抜き出し板と連動し互いに接近し閉鎖状となるものと、前記収納器に装着し前記収納器に対して作動する押しバーであって、前記押しバーは応用力部と当接部を有し、前記当接部は前記抜き出しヘッドを前記第二位置まで押しまたは前記抜き出しヘッドを解除し前記第一位置まで回復させる。
【考案を実施するための最良の形態】
【０００７】
本考案の詳細説明並びに技術内容に関しては、図面と照合しながら下記に説明することとする。
【０００８】
「図１、図２」で示しているのは、本考案における立体外観並びに立体構造の分解概略図である。図に示されるように、収納器１０（管状部材可）を含み、前記収納器１０の一端には貫通孔１０１を開け、前記収納器１０の内部は前記貫通孔１０１の内壁との接触箇所が当接壁１０２となっており、他端には開口１０４があり、前記収納器１０の内壁にはメスねじ山１０３を取り付ける。また、押しバー１３には応用力部１３２並びに当接部１３１を設け、前記当接部１３１の外側にオスねじ山１３３を取り付ける。前記収納器１０内の抜き出しヘッド１１（管状部材可）を取り付け、前記抜き出しヘッド１１は複数の抜き出し板１１１、ヘッド端１１３及び前記抜き出し板１１１並びに前記ヘッド端１１３に接続するネック部１１２を含む。前記抜き出しヘッド１１には裂け目１１５が有り、裂け目１１５の両隣には前記複数の抜き出し板  １１１を形成し、且つ前記ネック部１１２はテーパ体１１６であり、その外径が大きい方の一端は前記ヘッド端１１３と接続し、外径の小さい方の一端は前記複数の抜き出し板１１１を接続しており、また前記テーパ体１１６の外径の小さい方の一端は少なくとも前記貫通孔１０１を通ることが出来る。前記抜き出しヘッド１１の前記ネック部１１２には少なくとも前記貫通孔１０１と接触する傾斜面１１４があり、前記抜き出しヘッド１１は第一位置と第二位置の間を往復運動し、正常時に前記抜き出しヘッド１１は前記第一位置にあると共に、前記複数の抜き出し板１１１は互いに開放状に分離し、前記第二位置にあるとき前記ネック部１１２の前記傾斜面１１４は前記貫通孔１０１にプッシュされて前記複数の抜き出し板１１１と連動して互いに接近し閉鎖状となる。また、前記収納器１０は押しバー１３を装着し、前記収納器１０に対して作動し、前記押しバー１３は前記応用力１３２と前記当接部１３１を有し、前記当接部１３１は前記抜き出しヘッド１１を前記第二位置までプッシュし、若しくは前記抜き出しヘッド１１を解除し前記第一位置まで回復させられる。
【０００９】
「図３a」で示すように、正常時前記収納記１０（管状部材可）の一端には貫通孔１０１があり、前記収納器１０内には前記当接壁１０２があり、軸性の一端には開口１０４があり、前記応用力部１３２及び前記当接部１３１が前記抜き出しヘッド１１の前記ヘッド端１１３と当接し、前記抜き出しヘッド１１の他端に前記ネック部１１２を取り付けた前記傾斜面１１４は前記収納器１０の前記当接部１０２に接触している。前記抜き出しヘッド１１には前記抜き出し板１１１が取り付けられ、前記収納器１０内の前記貫通孔１０１を突き抜けて第一位置まで達しており、前記収納器１０の内部はメスねじ山１０３と前記押しバー１３となっており、前記当接部１３１の表面はオスねじ山１３３が相互に嵌め込んである。
【００１０】
「図３b」で示すように、前記抜き出しヘッド１１の前記抜き出し板１１１は、前記収納器１０内の前記貫通孔１０１を突き抜けて第一位置に達し、前記応用力部    １３２が作動を開始すると、前記応用力部１３２の前記当接部１３１が前記前記抜き出しヘッド１１の前記ヘッド端に当接し、前記抜き出しヘッド１１の前記ネック部１１２の前記傾斜面１１４の前端は力を受けて前記貫通孔１０１の前記当接壁１０２に接触し、前記ネック部１１２の前記傾斜面１１４はまず収縮して、前記ネック部１１２の前記傾斜面１１４の一部分が前記収納器１０の前記貫通孔１０１を突き抜け、前記抜き出し板１１１は第二位置まで伸び、プローブ２１を挟み取って抜き取り動作を開始する。
【００１１】
「図４」で示すようにプローブモジュール２０が検査する際、プローブ２１が損壊すると、本考案のプローブホルダー９０を使用し、押しバー１３が応用力部１３２に作用して、前記当接部１３１は前記抜き出しヘッド１１を前記第二位置までプッシュしてプローブ２１を挟み取るが、本考案が従来のプローブ２１を抜き取りミス並びに他の良好なプローブ２１に接触して損壊するのを減少させるために、作業精度を向上させている。
【００１２】
「図５」は本考案の別の好ましい実施例であり、押しバー１３が前記抜き出しヘッド１１に当接し、前記抜き出しヘッド１１の外側は弾性部材１６（圧縮バネ可）が取り巻いている。前記弾性部材１６は前記収納器１０に取り付けられ、前記弾性部材１６の一端は前記押しバー１３の前記応用力部１３２に当接し、他端は前記収納器１０の当接壁１０２に当接し、弾力で以って前記押しバー１３をプッシュして、前記抜き出しヘッド１１を第一位置に就かせる。
【００１３】
本考案の好ましい実施例は上記に開示しているが、決してこれを以って本考案を限定するものではなく、当該技術に熟知する者が本考案の趣旨並びにその範囲内で為す些細な変更並びに補正は何れも本考案に含まれるものであり、よって本考案の保護範囲は添付した特許申請範囲で定めるものを基準とする。
【図面の簡単な説明】
【００１４】
【図１】本考案における立体外観概略図である。
【図２】本考案における立体構造の分解概略図である。
【図３ａ】本考案における第一の作動図である。
【図３ｂ】本考案における第二の作動図である。
【図４】本考案における応用実施状態図である。
【図５】本考案における別途好ましい実施例の断面図である。
【符号の説明】
【００１５】
１０  収納器
１０１  貫通孔
１０２  当接壁
１０３  メスねじ山
１０４  開口
１１  抜き出しヘッド
１１１  抜き出し板
１１２  ネック部
１１３  ヘッド端
１１４  傾斜面
１１５  裂け目
１１６  テーパ体
１３  押しバー
１３１  当接部
１３２  応用力部
１３３  オスねじ山
１６  弾性部材
２１  プローブ
９０  プローブホルダー
【図１】
0003128949.tif 000003
【図２】
0003128949.tif 000004
【図３ａ】
0003128949.tif 000005
【図３ｂ】
0003128949.tif 000006
【図４】
0003128949.tif 000007
【図５】
0003128949.tif 000008